(57)【要約】【課題】通報情報システムの特長を活かし、かつ、タブレット端末などのスマートデバイスを活用して通報される画像や動画などの通報情報を適切な消防局に通報でき、上記効果をより効率的に実行可能とする。【解決手段】通報者端末から前記受付端末への接続要求を検知し、受付する接続検知部と、前記通報者端末から送信される位置情報を受け、位置情報をもとに通報者が位置するゾーンを判定するゾーン判定部と、位置情報をもとに前記ゾーン内における通報受付局に対応する管轄エリアを判定する管轄判定部と、管轄判定部にて、通報者がゾーン内における通報受付局に対する管轄エリアに属する場合、通報者端末と通報受付局に対応する管轄エリアをカバーする受付端末を紐付けする通報者端末・受付端末紐付け部と、を含み、通報者端末・受付端末紐付け部にて、紐付けされた通報者端末と受付端末を接続し、通報者端末から送信される映像通報情報の受付端末への送信を可能とする【選択図】図５
2019161470.tif 000002
【特許請求の範囲】
【請求項１】
通報者が使用する通報者端末と前記通報者端末からの通報を受付ける通報受付局の受付端末を接続し、前記通報者端末からの映像通報情報を前記受付端末に対して振分けする機能を有する映像通報情報支援サーバであって、
前記通報者端末から前記受付端末への接続要求を検知し、受付する接続検知部と、
前記通報者端末から送信される位置情報を受け、当該位置情報をもとに通報者が位置するゾーンを判定するゾーン判定部と、
前記位置情報をもとに前記ゾーン内における前記通報受付局に対応する管轄エリアを判定する管轄判定部と、
前記管轄判定部にて、前記通報者が前記ゾーン内における前記通報受付局に対する管轄エリアに属する場合、前記通報者端末と前記通報受付局に対応する前記管轄エリアをカバーする前記受付端末を紐付けする通報者端末・受付端末紐付け部と、
を含み、
前記通報者端末・受付端末紐付け部にて、紐付けされた前記通報者端末と前記受付端末を接続し、前記通報者端末から送信される前記映像通報情報の前記受付端末への送信を可能とすることを特徴とする映像通報情報支援サーバ。
【請求項２】
請求項１に記載された通報情報支援サーバにおいて、
前記通報者端末から送信される位置情報を受信する位置情報受信部と、
前記通報者が如何なるゾーンに位置するかを判定し、決定するゾーン判定・決定部と、
前記ゾーン判定・決定部にて、決定したゾーン内の前記通報受付局の管轄エリアを抽出するゾーン内管轄抽出部と、
前記ゾーン内管轄抽出部にて抽出した前記通報受付局の管轄エリアとの最短距離を計算する距離計算部と、
前記距離計算部にて、計算した最短距離が所定の規定距離以内か否かを判定する最短距離判定部と、を含み、
計算した最短距離が所定の規定距離以内の場合、前記通報者端末を前記通報受付局の管轄エリアに属する該当管轄消防局に接続し、計算した最短距離が所定の規定距離以内でない場合、前記通報者端末に対してエラー表示情報を通知することを特徴とする映像通報情報支援サーバ。
【請求項３】
請求項２に記載された通報情報支援サーバにおいて、
前記通報者端末に対して特定端末への接続ガイドメッセージを通知し、当該接続ガイドメッセージに従って、前記通報者端末のボタンがタッチ操作された場合、前記特定端末へ自動的に接続し、当該特定端末に対して映像通報情報の送信を可能とすることを特徴とする映像通報情報支援サーバ。
【請求項４】
複数の通報者端末と複数の受付端末との接続を司る機能を有し、前記複数の通報者端末の一つから送信される映像通報情報を前記複数の受付端末の何れか１つに送信することを可能とする通報情報支援サーバであって、
前記通報者端末から前記受付端末への接続要求を検知したとき、前記通報者端末の位置を示す位置情報を受信する位置情報受信部と、
前記通報者端末から送信される位置情報を受け、当該位置情報をもとに通報者が位置するゾーンを判定するゾーン判定部と、
前記ゾーン判定部にて判定したゾーン内の前記通報受付局に対応する管轄エリアを判定する管轄判定部と、
を備え、
前記管轄判定部にて、前記通報者端末が通報受付局による管轄エリアに属すると判定した場合、当該通報者端末を前記通報受付局による管轄エリア内に属する前記受付端末に接続し、前記通報者端末から送信される前記映像通報情報を前記受付端末への送信を可能とすることを特徴とする映像通報情報支援サーバ。
【請求項５】
請求項４に記載された通報情報支援サーバにおいて、さらに、
メッシュ分割された複数のゾーンを抽出・決定するゾーン抽出・決定部と、
前記ゾーン抽出・決定部にて抽出・決定したゾーンに属する管轄エリアの有無を判定し、当該管轄エリアがある場合、前記ゾーン内の管轄エリアを抽出する管轄抽出部と、
前記管轄抽出部にて抽出したすべての管轄エリアとの距離を計算する距離計算部と、
を備え、
前記通報者が前記管轄抽出部にて抽出した管轄エリア内にある場合、また、管轄エリア外であっても、前記距離計算部にて計算した管轄エリアとの距離が予め規定した距離以内である場合、前記通報者端末を前記通報受付局による管轄エリア内に属する前記受付端末に接続し、前記通報者端末から送信される前記映像通報情報を前記受付端末への送信を可能とすることを特徴とする映像通報情報支援サーバ。
【請求項６】
請求項１〜５の何れか一つに記載された通報情報支援サーバを備えた映像通報支援システム。
【請求項７】
通報者が使用する通報者端末と前記通報者端末からの通報を受付ける通報受付局の受付端末を接続し、前記通報者端末からの映像通報情報を前記受付端末に対して振分けする機能を有する映像通報情報支援サーバを備えた映像通報支援システムにおける管轄エリア判定プログラムであって、
前記通報者端末から前記受付端末への接続要求を検知する処理と、
前記通報者端末から送信される位置情報を受け、当該位置情報をもとに通報者が位置するゾーンを判定する処理と、
前記ゾーンを判定する処理にて判定したゾーン内の前記通報受付局に対応する管轄エリアを判定する処理と、
前記管轄エリアを判定する処理にて、前記通報者が前記通報受付局の管轄エリアに属する場合、前記通報者端末と前記通報受付局の管轄エリア内をカバーする前記受付端末を紐付けする処理と、を
前記映像通報情報支援サーバに実行させ、紐付けされた前記通報者端末と前記受付端末を接続し、前記通報者端末から送信される前記映像通報情報を前記受付端末への送信を可能とすることを特徴とする管轄エリア判定プログラム。
【発明の詳細な説明】
【技術分野】
【０００１】
本発明は、映像通報支援サーバおよび映像通報支援システム、並びに映像通報支援システムにおける管轄エリア判定プログラムに関する。
【０００２】
更に詳しくは、例えば、スマートデバイスにて撮影した画像や動画などの緊急映像通報情報を消防指令センタと連携した消防局側などに配置された通信機能を有する端末にて受け付け、消防局における適切な対応を可能とする緊急映像通報サービスにかかる映像通報支援サーバおよび当該映像通報支援サーバを備えた映像通報支援システム並びに映像通報支援システムにおける管轄エリア判定プログラムに関する。
【背景技術】
【０００３】
映像通報システムとして、例えば、ｈｔｔｐ：／／ＷＷＷ．ｈｉｔａｃｈｉ．ｃｏ．ｊｐ／Ｎｅｗ／ｃｎｅｗｓ／ｍｏｎｔｈ／２０１７／１０１６．ｈｔｍｌ（非特許文献１）に記載されたように、スマートデバイスを活用した１１９番映像通報サービスなるものが提案されている。１１９番映像通報サービスとは、通報者のスマートフォンを活用して消防指令センタへのビデオ通話による１１９番通報である。換言すれば、従来、個別のシステム構築により提供してきた消防指令システムに、タブレット端末などのスマートデバイスを活用し、画像や動画を用いて現場状況を迅速に伝達できるなど、現場と消防指令センタ間、および現場間のリアルタイムな情報共有を可能とする各機能を備えたシステムである。  
【０００４】
また、緊急通報システムとして、特開２０１６−８６３４３号公報（特許文献１）に記載された技術がある。この公報には、「通報者装置が、緊急通報情報を取得する緊急通報情報取得手段と、緊急通報情報をそのまま、または情報を追加して運営者装置に送信する通報送信手段を備え、運営者装置が、通報者装置から緊急通報情報を受信する通報受付手段と、通報位置情報を取得し通報位置を管轄する管轄受信機関がいずれの受信機関であるかを判定し通報位置情報が付加された緊急通報情報を管轄受信機関に設置された受信者装置に送信する通報転送手段とを備え、受信者装置が、運営者装置から送信された緊急通報情報を受信する通報受信手段と、緊急通報情報に含まれる情報を表示する通報表示手段とを備えることを特徴とする。」との記載があり、「通話による通報が困難な人が、登録した機関の管轄外の位置からでも緊急通報を容易に行うことができる緊急通報システム等を提供する」ことができる旨の記載がある。
【先行技術文献】
【非特許文献】
【０００５】
【非特許文献１】ｈｔｔｐ：／／ＷＷＷ．ｈｉｔａｃｈｉ．ｃｏ．ｊｐ／Ｎｅｗ／ｃｎｅｗｓ／ｍｏｎｔｈ／２０１７／１０１６．ｈｔｍｌ
【特許文献】
【０００６】
【特許文献１】特開２０１６−８６３４３号公報
【発明の概要】
【発明が解決しようとする課題】
【０００７】
非特許文献１によれば、迅速で正確な現場状況（含通報位置）の把握が可能であり、現場への到着時間の短縮による被害の最小化や救命効果を期待することが可能である。また、増援要請などへの迅速な判断をサポートすることができる効果を奏する。しかし、通報者側と消防局側との関係において、消防局が管轄する消防エリア（管轄エリア）を判定し、通報者からの通報情報を適切と思われる消防局へ迅速にかつ確実に通報する仕組みまでは考慮されていなかった。
【０００８】
また、特許文献１には、通報者が属するゾーンを判定し、かつ、ゾーン内に登記した管轄エリアを判定し、管轄エリアの判定を効率的に処理可能とし、通報者からの映像通報情報を適切と思われる通報受付局（消防局）へ迅速、かつ確実に通報する支援仕組みまでは考慮されていない。
【０００９】
そこで、本発明では、通報情報システムの特長を活かし、かつ、タブレット端末などのスマートデバイスを活用して通報される画像や動画などの映像通報情報を適切な通報受付局、例えば、消防局に通報でき、上記効果をより効率的に実行可能とする技術を提供することを目的とする。
上記した以外の課題、構成および効果は、以下の実施形態の説明により明らかされる。
【課題を解決するための手段】
【００１０】
上記課題を解決するために、代表的な本発明の映像通報支援サーバ、映像通報支援システム、並びに映像通報支援システムにおける管轄エリア判定プログラムの一つは、通報者（通報者端末）がどのゾーンに属するか判定し、また、何処の通報受付局（消防局）による管轄エリア内に属するか判定し、通報者が属する管轄エリア内の通報受付局（消防局）における受付端末に接続するものである。
【００１１】
ここで、例えば、通報者が何処の通報受付局（消防局）による管轄エリア内に属するか判定したが、その判定が誤っていた場合は、通報者が属する正しい他の管轄エリア内の通報受付局（消防局）における受付端末に接続する。
通報者が何れの通報受付局（消防局）による管轄エリア内に属していない場合は、通報者に最も近い通報受付局（消防局）による管轄エリアとの距離を求め、当該距離が所定の規定距離以下である場合は、その近い管轄エリア内の消防局に接続する。規定距離以上である場合は、例えば、「サービス外」などのエラーを表示する。
【発明の効果】
【００１２】
本発明によれば、管轄エリアの判定を効率的に処理することができ、スマートデバイスからの通報情報を迅速、かつ、より適切に通報受付局、例えば、消防指令センタ側の消防局に対して通報することが可能である。
上記した以外の課題、構成および効果は、以下の実施形態の説明により明らかにされる。
【図面の簡単な説明】
【００１３】
【図１】本発明の映像通報システムの概略構成を示すブロック図。
【図２】図１の通報者端末のハード構成を示すブロック図。
【図３】図１のデータセンタを構成するサーバのハードウェア構成を示すブロック図。
【図４】図３の物理サーバ内におけるデータ構造の一例を示す構成図。
【図５】通報者端末と受付端末とデータセンタ（サーバ）間のシーケンスを示す図。
【図６Ａ】通報者端末と消防局エリアとの関係を示し、通報者が消防局エリア内に属する場合を説明する模式図。
【図６Ｂ】通報者端末と消防局エリアとの関係を示し、通報者が消防局エリア外に属する場合を説明する模式図。
【図７】通報者が２つの消防局エリアＡ、Ｂの近傍に属する場合について説明する模式図。
【図８】本発明の映像通報システムのサービスに加入する消防本部が増加した場合、消防局エリアを等間隔に複数のメッシュに分割してゾーン分けした例を説明する模式図。
【図９】図８において、消防局エリアを複数のメッシュに分割してゾーン分けした他の例を説明する模式図。
【図１０】通報者が何れの消防局エリア内に属していない場合であって、通報者に最も近い消防局エリアとの距離を求め、当該距離が所定の規定距離以下である場合と規定距離以上である場合におけるデータセンタ（サーバ）の処理手順を示すフローチャート。
【図１１】図４のサーバにおけるＣＰＵによる演算処理のためのプログラムを示す図。
【発明を実施するための形態】
【００１４】
本実施形態では、スマートデバイスの映像通報情報を消防指令センタ側の受付端末に通報するサービスを例に説明する。
【実施例１】
【００１５】
図１は、本発明の映像通報システムの概略構成を示すブロック図である。
映像通報システムは、複数の通報者端末１（１−１〜１−ｎ）、複数の受付端末２（２−１〜２−ｎ）、データセンタ３、を備え、これらは、インターネット４を介して接続される。
【００１６】
通報者端末１は、通報者Ｘ（Ｘ１〜Ｘｎ）が使用する端末であって、例えば、スマートフォンやタブレット端末（タブレット型コンピュータ）、ウエラブル端末などのスマートデバイスからなる。そして、通報者端末１は、画像や動画（映像）などの通報情報、例えば、映像情報を、インターネット４を介して受付端末２に通信する機能を有する。また、通報者端末１の通報情報（映像情報）が受付端末２にて受け付けされない場合には、その旨のエラー表示する機能を有する。
【００１７】
受付端末２は、映像通報受付システムを構成する通報受付局、例えば、消防指令本部側における通信指令センターに配備されるパーソナルコンピュータなどの情報処理装置であって、通報者端末１からの通報を受付け、通報者端末１から通報される通報情報（映像情報）を受信／着信し、表示する機能を有する。例えば、受付端末２−１は、エリアＡを消防管轄とする消防局Ａに配置された端末を示し、受付端末２−２は、管轄エリアＢを消防管轄とする消防局Ｂに配置された端末を示している。
【００１８】
本実施例では、受付端末２を各管轄エリアに１つの例を示しているが、各管轄エリアに１つ以上、つまり、複数の受付端末を設けてもよい。この場合には、管轄エリア内の複数の受付端末に映像情報をそれぞれ通報（同報）する。
【００１９】
インターネット４は、オープン（Ｏｐｅｎ）網であっても、クローズ（Ｃｌｏｓｅｄ）網、公衆網であってもよい。
【００２０】
データセンタ３は、映像通報支援システムを構成し、複数の通報者端末１からの各通報の、複数の受付端末２への接続を司るサーバ３１を備えており、サーバ３１は、通報者端末１（通報者）の通報位置を示す位置情報をもとに通報者端末１（通報者）が属する消防局のエリア（管轄エリア）を判定し、通報情報を受付端末２の何れかに振り分けする位置情報判定プロセス、消防（映像通報）を処理するプロセス、を含む。
【００２１】
すなわち、データセンタ３は、位置情報判定プロセスにおいて、通報者端末１（通報者）が何処の消防局の管轄エリア内に属するか否かを判定する機能、通報者端末１（通報者）と受付端末２を接続する機能、を有する。通報者端末１（通報者）が何処の消防局の管轄エリア内に属するか否かを判定するに際しては、例えば、経緯・緯度情報を含む複数の点で囲むように構築された管轄、つまり、消防局が管轄するエリアを示す情報を記憶しておく必要がある。
【００２２】
図２は、図１の通報者端末１のハード構成を示すブロック図である。
通報者端末１は、例えば、通報情報（映像情報）を通報するときに操作する映像通報ボタンを含むボタン１１、通報者端末１で撮影した映像を表示する映像表示部１２、端末の位置を示す位置情報（ＧＰＳ情報）を取得する位置情報取得装置１３、位置情報や通報情報を処理するためのブログラムや各種情報を記憶する主記憶装置１４、通信機能を有する通信装置１５、映像表示部１２や各位置情報取得装置１３や主記憶装置１４、通信装置１５を制御する制御部（ＣＰＵ）１６、を有する。
映像表示部１２は、通報エラーが発生した場合などにエラーを表示する機能も兼ねている。
【００２３】
図３は、図１のデータセンタ３を構成するサーバ３１のハードウェア構成を示すブロック図である。
【００２４】
サーバ３１は、例えば、ファイヤオール（ＦＷ）５、ドメインネームシステム（ＤＮＳ）６を介してインターネット４に接続される物理サーバであって、仮想マシンを構築するＶｍＷａｒｅ３１１、各プログラムを格納するメモリ３１２、メモリ３１２に格納されたプログラムに従ってＶｍＷａｒｅ３１１などを制御する制御部（ＣＰＵ）３１３、を有する。
【００２５】
ＶｍＷａｒｅ３１１は、トレンドマイクロ３１１１、レッドハット（Ｒｅｄ  Ｈａｔ７）３１１２、などから構成され、これらは周知であるので、その詳細説明は省略する。
【００２６】
メモリ３１２は、以下の情報を有するファイルが格納されている。
（１）ゾーン情報（ゾーンを構築する緯度・経度、管轄エリア情報）
（２）エリア情報（エリアを構築する緯度・経度）
（３）通報者（通報者端末１）の位置情報（経度・緯度）
【００２７】
制御部（ＣＰＵ）３１３は、メモリ３１２に格納される各プログラムを実行することにより、各種機能を実現する。メモリ３１２に格納されるプログラムは、例えば図１１に示すように接続検知プログラム３１３１、管理判定プログラム３１３２、通信車端末・受付端末紐付プログラム３１３３、位置情報受付プログラム３１３４、ゾーン判定・決定プログラム３１３５、ゾーン内管轄抽出プログラム３１３６、距離計算プログラム３１３７、最短距離判定プログラム３１３８、である。
【００２８】
接続検知プログラム３１３１は、通報者端末１との間で通報の接続検知し、受付および通報者端末１と受付端末２を接続、又は切断し、通報者端末１と受付端末２間による通報情報の送受信を可能とする。
【００２９】
管理判定プログラム３１３２は、通報者端末１（通報者）の通報位置を示す位置情報をもとに通報者端末１（通報者）の位置、つまり、通報者端末１（通報者）が所定の消防局Ａ〜Ｎの管轄エリアＡ〜Ｎ内に属するか否かを判定し、映像通報情報を受付端末２の何れかに振り分ける。
【００３０】
通報者端末・受付端末紐付プログラム３１３３は、通報者端末１（通報者）が所定の消防局Ａ〜Ｎの管轄エリアＡ〜Ｎ内に属する場合、通報者端末１と管轄エリアＡ〜Ｎ内の受付端末２を紐付けする能紐付けする。
【００３１】
位置情報受付プログラム３１３４は、通報者端末１（通報者）の通報位置を示す位置情報を受信する。
【００３２】
ゾーン判定・決定プログラム３１３５は、通報者端末１（通報者）が位置するゾーンを判定する。
【００３３】
ゾーン内管轄抽出プログラム３１３６は、ゾーン内の管轄エリアを抽出する。
【００３４】
距離計算プログラム３１３７は、管轄エリアとの最短距離を計算し、例えば、後述するが、通報者端末１（通報者）が所定の消防局Ａ〜Ｎの管轄エリアＡ〜Ｎ外に属する場合（図６（Ｂ）、図７参照）は、通報者端末１（通報者）に近い所定の消防局Ａ〜Ｎの何れかの１つ以上の消防局の管轄エリアとの最短距離を計算し、求める。
【００３５】
最短距離判定プログラム３１３８は、管轄エリアとの最短距離が規定以内か否かを判定する。
【００３６】
図４は、図３のサーバ３１内のデータ構造３１１２１の一例を示す構成図である。
データ構造は、複数の消防ソース（Ａ消防ソース、Ｂ消防ソース、・・・）を示すＷｅｂコンテンツ３１１２１１、オープンしているファイルを調査する機能を有するプロセスファイル３１１２１２、環境設定ファイルであるコンフィグファイル（Ｃｏｎｆｉｇ  ｆｉｌｅ）３１１２１３を含む。
【００３７】
図５は、通報者端末１と受付端末２とデータセンタ３（サーバ３１）間のシーケンスを示す図である。
【００３８】
通報者は、ステップ１０１にて、通報者端末１におけるボタン１１の映像通報ボタンを操作（押下）すると、ステップ１０２にて、電波状況を判定する。
ステップ１０２にて、電波状況が良好である場合（Ｙｅｓ）は、通報者端末１からデータセンタ３（サーバ３１）に対して接続要求をする。電波状況が不良である場合（Ｎｏ）は、ステップ１０４に進み、通報者端末１は、ステップ１０４にてエラー表示する。
【００３９】
データセンタ３（サーバ３１）は、ステップ１０３にて、通報者端末１からの接続要求を検知し、その結果（受付）を通報者端末１へ通知する。
【００４０】
データセンタ３（サーバ３１）が接続要求を受付けると、通報者端末１は、ステップ１０５にて、通報者端末１の位置を示す位置情報をデータセンタ３（サーバ３１）に送信する。
【００４１】
データセンタ３（サーバ３１）は、ステップ１０６にて、通報者端末１から送信される位置情報を受信し、当該位置情報をもとに通報者端末１が、予め設定した何処の消防局による管轄エリア内に属するか、つまり、消防局の管轄を判定する。
【００４２】
ステップ１０６にて、消防局管轄判定結果、例えば、通報者端末１の通報者Ｘが消防局Ａの管轄エリア外にある場合は、通報者端末１へエラー情報を通知し、通報者端末１は、ステップ１０８にてエラー表示する。
そして、通報者端末１は、サーバ３１からエラー表示情報の通知を受けたとき、当該エラー表示情報に含まれる特定ダイヤル情報への発信を示す所定のボタンを操作すると、例えば、前記受付端末以外であって、消防指令センタの１１９番の特定受付端末（図示せず）への接続を希望する旨のボタンをタッチ操作すると、特定受付端末に自動接続し、当該特定受付端末に対して前記映像通報情報の送信を可能とする機能を有する。
【００４３】
ステップ１０６にて、消防局管轄判定結果、例えば、通報者端末１の通報者Ｘが消防局Ａの管轄エリア外にある場合は、ステップ１０７に進み、データセンタ３（サーバ３１）にて、通報者端末１と受付端末２を紐付けし、その結果を受付端末２へ通知する。
【００４４】
消防局による管轄エリアは、例えば、多角形のエリア、つまり、経度・緯度情報を含む数百〜数千の点で囲んだエリアを事前に構築し、各エリアを示す情報をデータセンタ（サーバ３１）側にて管理する。
【００４５】
通報者端末１は、ステップ１０９にて、映像通話を開始する。そして、ステップ１０７にて紐付けされた受付端末２に対して通報情報を発信する。
【００４６】
ステップ１０７にて紐付けされた受付端末２は、ステップ１１０にて、通報者端末１からの通報情報（映像情報）を着信する。
【００４７】
図６Ａは、通報者端末１の通報者と消防局による管轄エリアとの関係を示し、通報者が１つの消防局による管轄エリア内に属する場合を説明する模式図である。
【００４８】
例えば、緯度・経度で示す複数の点１〜１０で囲んだエリアを消防局Ａの管轄エリアＡとし、通報者端末１を所有する通報者をＸとした場合、通報者Ｘが管轄エリアＡ内に属することを示している。
【００４９】
図６Ｂは、通報者端末１の通報者Ｘと消防局による管轄エリアとの関係を示し、通報者Ｘが１つの消防局による管轄エリアＡ外に属する場合を説明する模式図である。
通報者端末の通報者Ｘが管轄エリアＡ外に属する場合は、管轄エリアＡを構成する点２（緯度・経度）と通報者Ｘの位置情報との距離および管轄エリアＡを構成する点３（緯度・経度）と通報者Ｘの位置情報との距離を計算し、通報者Ｘと近くの管轄エリアＡとの最短距離を求める。この計算は、それぞれの位置を示す経度・緯度を元に周知の方法で求めることができる。
【００５０】
ここで、管轄エリアＡまでの最短距離が予め設定した所望の規定距離以下であるか、規定距離以上であるかを比較、判定する。
【００５１】
管轄エリアＡまでの最短距離が規定距離以上と判定した場合は、例えば、「サービス外」のエラーを通報者端末１側に通知し、通報者端末１側にてエラー表示する。
規定距離は、例えば、一般的なＧＰＳ誤差値を基に３００ｍと設定するとよい。
【００５２】
図７は、通報者端末１の通報者Ｘが２つの消防局による管轄エリアＡ、Ｂの近傍に属する場合について説明する模式図である。
【００５３】
このように通報者Ｘが２つの消防局による管轄エリアＡ、Ｂの近傍に属する場合についても図６Ａの場合と同様に判定する。
但し、通報者Ｘの位置情報が境界線上の点（経度・緯度）を示した場合は、先にプロセス登録してある管轄の消防局による管轄エリアを選択する。
【００５４】
上述したように通報者による情報、特に緊急を要する情報を通報受付局（消防局）に通報する場合は、迅速、かつ確実に通報することが重要である。そこで、本発明では、消防局による管轄エリアを適度の複数のメッシュに分割してゾーン分けし、ゾーンの判定・決定、ゾーン内の管轄エリアの抽出、管轄エリアとの最短距離計算、などの処理を施すものである。係る方法によれば、夫々の管轄判定プロセスを順々に判定していく必要がなく、管轄判定プロセスを効率的に処理することを可能である。
【００５５】
以下、その実施形態について説明する。まず、管轄エリアＡ〜Ｇのゾーン分けについて説明する。
図８は、本発明の映像通報システムのサービスに加入する消防局が増加した場合、消防局による管轄エリアＡ〜Ｇを等間隔で複数のメッシュに分割してゾーン（ｚｏｎｅ）分けした例を説明する模式図である。
【００５６】
ｚｏｎｅ１には、２つの管轄エリアＡ、Ｂが属し、ｚｏｎｅ２には、２つの管轄エリアＢ、Ｃが属し、ｚｏｎｅ３には、２つの管轄エリアＣ、Ｄが属し、ｚｏｎｅ４には、管轄エリアが属していない、ｚｏｎｅ５には、２つの管轄エリアＥ、Ｆが属し、ｚｏｎｅ６には、２つの管轄エリアＦ、Ｇが属することを示している。
【００５７】
図９は、図８において、消防局による管轄エリアＡ〜Ｇを複数のメッシュに分割してゾーン分けした他の例を説明する模式図である。
図８では、ゾーンを等間隔に区切る方法であるが、本例では、１つの管轄エリアが複数のゾーンに属さないように分けてもよい。つまり、１つの管轄エリアが複数の管轄エリアに属さないようにゾーン分けする。
【００５８】
図８および図９のように管轄エリアＡ〜Ｇを複数のメッシュに分割してゾーン分けする場合は、データセンタ３のサーバ３１に、そのための手段であるゾーン分け機能を備える必要がある。
【００５９】
図１０は、図８および図９において、通報者Ｘが何れの消防局Ａ〜Ｎ、つまり、管轄エリアＡ〜Ｇ内に属していない場合であって、通報者Ｘに最も近い消防局による管轄エリアとの最短距離を求め、当該最短距離が所定の規定距離以下である場合と規定距離以上である場合におけるデータセンタ３のサーバ３１におけるＣＰＵ３１３の処理手順を示すフローチャートである。
【００６０】
図１０のフローチャートの動作は以下のとおりである。
ステップ２０１：
サーバ３１は、ＣＰＵ３１３にて、通報者端末１から送信される位置情報を受信する処理を実行する。
【００６１】
ステップ２０２：
サーバ３１は、ＣＰＵ３１３にて、通報者端末１から送信される位置情報をもとに通報者Ｘ（通報者端末１）がｚｏｎｅ１〜４の如何なるｚｏｎｅ（ゾーン）に属するかを判定する処理を実行する。
【００６２】
ステップ２０３：
サーバ３１は、ＣＰＵ３１３にて、通報者端末１から送信される位置情報をもとに通報者Ｘ（通報者端末１）がｚｏｎｅ１〜４の如何なるｚｏｎｅ（ゾーン）に属するかを決定する処理を実行する。
【００６３】
ステップ２０４：
サーバ３１は、ＣＰＵ３１３にて、ｚｏｎｅ（ゾーン）内の管轄、つまり、消防局による管轄エリアを抽出する処理を実行する。
【００６４】
ステップ２０５：
サーバ３１は、ＣＰＵ３１３にて、ｚｏｎｅ（ゾーン）内に登記した管轄（管轄エリアＡ〜Ｎ）との距離を計算し、最短距離を求める処理を実行する。そして、通報者Ｘが管轄内の場合は、ステップ２０６に進み、管轄外である場合は、ステップ２０７に進む。
【００６５】
ステップ２０６：
サーバ３１は、ＣＰＵ３１３にて、管轄内に該当する消防局の受付端末２と接続する処理を実行する。これにより、通報者端末１からの通報情報を受付端末２にて受付することができる。
【００６６】
ステップ２０７：
サーバ３１は、ＣＰＵ３１３にて、管轄との最短距離が所望の規定距離、例えば、３００ｍ以内であるか否かを判定する処理を実行する。
【００６７】
サーバ３１（ＣＰＵ３１３）は、ステップ２０７にて、所望の規定距離（３００ｍ）以内の場合（Ｙｅｓ）は、ステップ２０６に進み、管轄外であるが、通報者Ｘ（通報者端末１）に近い方に該当する消防局の受付端末２と接続する。
所望の規定距離以内でない場合（Ｎｏ）は、ステップ２０８に進む。
【００６８】
ステップ２０８：
サーバ３１は、ＣＰＵ３１３にて、通報者端末１に対して、エラー表示情報を通知する処理を実行する。これにより、通報者端末１は、例えば、「サービス外」のエラーを示すエラー表示する。
【００６９】
ステップ２０９：
通報者端末１は、特定端末（図示せず）、例えば、１１９番への接続ガイドメッセージを表示する。そして、この接続ガイドメッセージに従って、ボタンをタッチ操作すると、自動的に特定端末（１１９番）へ接続し、特定端末に対して映像通報情報の送信を可能とする機能を有する。
【００７０】
以上述べた実施例によれば、通報情報（映像通報情報）により、疾病状況や現場状況をより正確に把握できるとともに、通報者による通報情報を適切な消防局に対して通報することができ、かつ、迅速に通報可能なシステムを構築することが可能である。
また、管轄エリアが増えた場合、管轄判定プロセスを効率的に処理することを可能である。
【００７１】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００７２】
１  通報者端末
２  受付端末
１１  ボタン
１２  映像表示部
１３  位置情報取得装置
１４  主記憶装置
１５  通信装置
３  データセンタ
３１  サーバ
３１２  メモリ
３１３  ＣＰＵ
【図１】
2019161470.tif 000003
【図２】
2019161470.tif 000004
【図３】
2019161470.tif 000005
【図４】
2019161470.tif 000006
【図５】
2019161470.tif 000007
【図６Ａ】
2019161470.tif 000008
【図６Ｂ】
2019161470.tif 000009
【図７】
2019161470.tif 000010
【図８】
2019161470.tif 000011
【図９】
2019161470.tif 000012
【図１０】
2019161470.tif 000013
【図１１】
2019161470.tif 000014